(57)【要約】【課題】洗い場の排水口から浴槽パンへ水が流入することを抑制することができる浴室を提供することを目的とする。【解決手段】浴槽パンのうちの一部が浴槽を載置する浴槽載置部とされてなる浴室であって、排水口を有する洗い場と、前記洗い場に接続された前記浴槽パンと、を備え、前記浴槽載置部と前記排水口とを連通し前記浴槽載置部から前記排水口に水を排出可能な排水流路と、前記排水流路に設けられ前記排水口から前記浴槽載置部へ向かう水の流れを抑制する水流抑制部と、が設けられたことを特徴とする浴室が提供される。【選択図】図４
2015169006.tif 000002
【特許請求の範囲】
【請求項１】
浴槽パンのうちの一部が浴槽を載置する浴槽載置部とされてなる浴室であって、
排水口を有する洗い場と、
前記洗い場に接続された前記浴槽パンと、
を備え、
前記浴槽載置部と前記排水口とを連通し前記浴槽載置部から前記排水口に水を排出可能な排水流路と、
前記排水流路に設けられ前記排水口から前記浴槽載置部へ向かう水の流れを抑制する水流抑制部と、
が設けられたことを特徴とする浴室。
【請求項２】
前記排水口からみて前記浴槽パンの側の前記洗い場の側壁が切り取られた切り欠き部に設けられ、前記浴槽の排水口と前記洗い場の前記排水口とを接続する排水管を前記浴槽載置部から上へ離隔した位置に位置決めする貫通孔を有する仕切りをさらに備え、前記仕切りは、前記排水流路を覆い隠すことを特徴とする請求項１記載の浴室。
【請求項３】
前記水流抑制部は、前記排水流路を流れる水の流速を抑えることを特徴とする請求項２記載の浴室。
【請求項４】
前記水流抑制部は、前記排水流路を鉤形に屈曲した流路を有する屈曲流路とすることを特徴とする請求項３記載の浴室。
【請求項５】
前記水流抑制部は、前記排水流路の底面から上へ突出して前記仕切りに近接し前記屈曲流路を形成する凸部を有することを特徴とする請求項４記載の浴室。
【請求項６】
前記浴槽パンは、前記浴槽の前記排水口から前記切り欠き部に連通した凹部であって、表面が前記浴槽の前記排水口から前記切り欠き部に向けて下へ傾斜する勾配を有する凹部を有することを特徴とする請求項２〜５のいずれか１つに記載の浴室。
【発明の詳細な説明】
【技術分野】
【０００１】
本発明の態様は、一般的に、浴室に関する。
【背景技術】
【０００２】
例えば、介助を必要とする人の入浴に対応した浴室が開発されている。このような浴室のなかには、浴槽を載置する浴槽パンに浴槽の中の水を排出するものがある。しかし、浴槽の中の水を浴槽パンに排出すると、浴槽パンが汚れる。そのため、浴槽パンを清掃するためには、浴槽を移動させる必要があり、手間がかかる。
【０００３】
これに対して、浴槽パンの清掃を不要とするために、浴槽と洗い場の排水口とをホースでつないで浴槽の中の水を洗い場の排水口へ排水し、浴槽の周囲から浴槽パンに水が入らないように堰を設ける案がある。しかし、この案においては、水が浴槽の周囲から浴槽パンに入ることがある。
【０００４】
これに対して、浴槽パンに進入した水を排出するために、浴槽パンと洗い場の排水口とを連通する排水流路を設ける案がある。しかし、洗い場の排水口において例えば詰まりなどの不具合が生じ、排水性能が低下すると、洗い場から排水口に流れる水が溢れて排水流路を逆流して浴槽パンに流入するおそれがある。水が浴槽パンに流入すると、水が浴槽パンに流入する前と比較して、浴槽の下の空間の湿度が高くなり、汚れも付着する。すると、浴槽の下が臭いの発生源となることがある。
【先行技術文献】
【特許文献】
【０００５】
【特許文献１】特許第４６３６７７６号公報
【特許文献２】特開２０００−４５３５０号公報
【特許文献３】特開２００２−３４８９２８号公報
【発明の概要】
【発明が解決しようとする課題】
【０００６】
本発明は、かかる課題の認識に基づいてなされたものであり、洗い場の排水口から浴槽パンへ水が流入することを抑制することができる浴室を提供することを目的とする。
【課題を解決するための手段】
【０００７】
第１の発明は、浴槽パンのうちの一部が浴槽を載置する浴槽載置部とされてなる浴室であって、排水口を有する洗い場と、前記洗い場に接続された前記浴槽パンと、を備え、前記浴槽載置部と前記排水口とを連通し前記浴槽載置部から前記排水口に水を排出可能な排水流路と、前記排水流路に設けられ前記排水口から前記浴槽載置部へ向かう水の流れを抑制する水流抑制部と、が設けられたことを特徴とする浴室である。
【０００８】
この浴室によれば、排水流路が浴槽パンと洗い場の排水口とをつないでいるため、浴槽載置部の上の水を洗い場の排水口に排出することができる。一方、排水流路に設けられた水流抑制部は、洗い場の排水口から浴槽載置部へ向かう水の流れ（逆流）を抑制することができる。これにより、水が浴槽パンに溜まることを抑制し、異臭の発生を抑制することができる。
【０００９】
第２の発明は、第１の発明において、前記排水口からみて前記浴槽パンの側の前記洗い場の側壁が切り取られた切り欠き部に設けられ、前記浴槽の排水口と前記洗い場の前記排水口とを接続する排水管を前記浴槽載置部から上へ離隔した位置に位置決めする貫通孔を有する仕切りをさらに備え、前記仕切りは、前記排水流路を覆い隠すことを特徴とする浴室である。
【００１０】
この浴室によれば、仕切りが排水流路の上を覆うため、水が水流抑制部を越えて洗い場の排水口から浴槽載置部に流れ込むことを抑制することができる。
【００１１】
第３の発明は、第２の発明において、前記水流抑制部は、前記排水流路を流れる水の流速を抑えることを特徴とする浴室である。
【００１２】
この浴室によれば、水流抑制部が排水流路を流れる水の速度を抑えるため、浴槽パンから洗い場の排水口へ流れる水の排出をより確実に行いつつ、水が洗い場の排水口から浴槽パンへ流れることを抑えることができる。
【００１３】
第４の発明は、第３の発明において、前記水流抑制部は、前記排水流路を鉤形に屈曲した流路を有する屈曲流路とすることを特徴とする浴室である。
【００１４】
この浴室によれば、水流抑制部は、簡単な構造により、水の流速を抑えることができる。また、屈曲流路としての排水流路は、上を仕切りにより覆われ、暗渠流路とされている。そのため、水が排水流路を近道として流れることを抑えることができる。
【００１５】
第５の発明は、第４の発明において、前記水流抑制部は、前記排水流路の底面から上へ突出して前記仕切りに近接し前記屈曲流路を形成する凸部を有することを特徴とする浴室である。
【００１６】
この浴室によれば、水流抑制部は、排水流路の底面から上へ突出し仕切りに近接する凸部により排水流路を屈曲させる。そのため、排水流路を通る水は、必ず屈曲流路を通る。そのため、水流抑制部は、水の流速をより確実に減速させることができ、洗い場の排水口から浴槽載置部へ向かう水の流れ（逆流）を効果的に抑制することができる。
【００１７】
第６の発明は、第２〜５のいずれか１つの発明において、前記浴槽パンは、前記浴槽の前記排水口から前記切り欠き部に連通した凹部であって、表面が前記浴槽の前記排水口から前記切り欠き部に向けて下へ傾斜する勾配を有する凹部を有することを特徴とする浴室である。
【００１８】
この浴室によれば、洗い場から排水口に多量の水を排出した場合には、水流抑制部を介して、洗い場の排水口から浴槽パンに向けて徐々に水が逆流する。この場合において、浴槽パンの浴槽載置部に設けられた凹部は、浴槽パンに逆流した水を凹部自身にとどめることができ、浴槽パン内での水の拡散を抑制することができる。凹部の表面には、排水勾配が形成されているため、浴槽パンに逆流した水を洗い場の排水口に速やかに排出することができる。  
また、浴槽の排水口と、洗い場の排水口と、をつなぐ排水管を凹部に収めることができる。そのため、浴槽の排水口や、排水管などから水が漏れても、凹部を通して洗い場の排水口に速やかに水を排出することができる。
【発明の効果】
【００１９】
本発明の態様によれば、洗い場の排水口から浴槽パンへ水が流入することを抑制することができる浴室が提供される。
【図面の簡単な説明】
【００２０】
【図１】本発明の実施の形態にかかる浴室を表す模式図である。
【図２】本実施形態にかかる浴室を表す模式的分解図である。
【図３】本実施形態の排水管を表す模式図である。
【図４】本実施形態の排水流路の近傍を表す模式的斜視図である。
【図５】本実施形態の洗い場の排水口の近傍を表す模式的斜視図である。
【図６】本実施形態の洗い場および浴槽パンを表す模式的斜視図である。
【図７】本実施形態の洗い場および浴槽パンを表す模式的断面図である。
【図８】本実施形態の洗い場および浴槽パンを表す模式的斜視図である。
【図９】本実施形態の洗い場および浴槽パンを表す模式的断面図である。
【図１０】本実施形態の洗い場および浴槽パンを表す模式的断面図である。
【図１１】蓋材および浴槽の設置形態を例示する模式的斜視図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式図である。  
図２は、本実施形態にかかる浴室を表す模式的分解図である。  
図１（ａ）は、本実施形態にかかる浴室を表す模式的斜視図である。図１（ｂ）は、本実施形態にかかる浴室を上方から眺めた模式的平面図である。  
図２では、説明の便宜上、浴槽およびエプロンを切断している。
【００２２】
図１（ａ）および図１（ｂ）は、介助を必要とする人（以下、説明の便宜上「要介助者」と称する。）の入浴に対応した浴室の例を表す。図１（ａ）〜図２に表したように、浴室１０は、洗い場１００と、浴槽パン２００と、を備える。浴槽パン２００は、洗い場１００と並んで設けられ、洗い場１００に接続されている。
【００２３】
洗い場１００および浴槽パン２００の周縁部には、壁パネル３８０が設けられている。壁パネル３８０には、手すり３９１、照明３９２、給水装置３９３、鏡３９４、およびカウンタ３９５が適宜設けられている。
【００２４】
洗い場１００は、排水口カバー１０１を有する。排水口カバー１０１の下には、ヘアキャッチャ１０５が設けられている。また、排水口カバー１０１の下には、排水口１０３が設けられている。つまり、洗い場１００は、排水口カバー１０１の下に設けられた排水口１０３を有する。洗い場１００の水は、排水口１０３を通して配管４５０により排出される。
【００２５】
浴槽パン２００の上には、蓋材３１０と、堰部材３２０と、浴槽３３０と、が設けられている。浴槽３３０と洗い場１００との間の境界には、浴槽３３０における洗い場１００の側の側面を覆い隠す第１のエプロン３４１が設けられている。浴槽３３０と蓋材３１０との間の境界には、浴槽３３０における蓋材３１０の側の側面を覆い隠す第２のエプロン３４２が設けられている。
【００２６】
蓋材３１０は、浴槽パン２００のうちの一部を覆う。図１（ａ）〜図２に表したように、例えば、蓋材３１０は、浴槽パン２００の一端部を覆う。他の蓋材３１０は、浴槽パン２００の他端部を覆う。図１（ａ）〜図２に表した例では、堰部材３２０および浴槽３３０は、蓋材３１０と、他の蓋材３１０と、の間に設けられる。但し、蓋材３１０および浴槽３３０の設置形態は、図１（ａ）〜図２に表した例には限定されない。蓋材３１０および浴槽３３０の他の設置形態については、後述する。
【００２７】
蓋材３１０が浴槽パン２００の一部を覆うことにより、浴槽パン２００の上に、浴槽載置部２１０と、介助用スペース３１０ａと、が形成される。浴槽載置部２１０は、浴槽パン２００の上に形成された領域であり、浴槽３３０を載置する。介助用スペース３１０ａは、要介助者４１０を介助する人（以下、説明の便宜上「介助者」と称する。）４２０が介助作業を行うときに利用する空間である。なお、図１（ａ）および図１（ｂ）に表したように、介助用スペース３１０ａには、移乗台３８１が設置されてもよい。本願明細書において「介助用スペース」とは、介助者４２０が介助作業のときに利用する空間だけではなく、介助作業に必要な台や椅子などが設置される空間を含むものとする。
【００２８】
洗い場１００の上には、例えば要介助者４１０が浴槽３３０に入る前に利用するトランスファーボード３８３が設置されてもよい。
【００２９】
浴槽３３０は、浴槽パン２００の浴槽載置部２１０に載置され、排水口３３１を有する。浴槽パン２００と浴槽３３０との間には、排水管３５０が設けられている。排水管３５０は、浴槽３３０の排水口３３１と、洗い場１００の排水口１０３と、を接続する。これについて、図面を参照しつつさらに説明する。
【００３０】
図３は、本実施形態の排水管を表す模式図である。  
図４は、本実施形態の排水流路の近傍を表す模式的斜視図である。  
図３（ａ）は、図１（ｂ）に表した切断面Ａ−Ａにおける断面を斜めから眺めた模式的斜視図である。図３（ｂ）は、図１（ｂ）に表した切断面Ａ−Ａにおける模式的断面図である。図４（ａ）は、図１（ｂ）に表した切断面Ａ−Ａにおける断面を斜めから眺めた模式的斜視図である。図４（ｂ）は、本実施形態の排水流路を拡大した模式的拡大図である。
【００３１】
図３（ａ）および図３（ｂ）に表したように、浴槽パン２００の浴槽載置部２１０と、浴槽３３０と、の間には、排水管３５０が設けられている。排水管３５０は、浴槽３３０の排水口３３１と、洗い場１００の排水口１０３と、を接続する。より具体的には、排水管３５０は、第１の端部３５１と、第２の端部３５３と、を有する。第１の端部３５１は、浴槽３３０の排水口３３１に接続されている。第２の端部３５３は、屈曲した形状を有し、洗い場１００の排水口１０３に接続されている。
【００３２】
図４（ａ）に表したように、洗い場１００の排水口１０３には、排水トラップ１２１が設けられている。排水トラップ１２１の内部には、封水筒１２３が設けられている。排水トラップ１２１および封水筒１２３は、溜水を形成し、例えば配管４５０から悪臭や害虫類などが浴室１０内に侵入することを防止する。第２の端部３５３の先端は、封水筒１２３の内部に挿入されている。封水筒１２３の内部に挿入された第２の端部３５３の先端は、ヘアキャッチャ１０５の下に設けられた目皿１０７により覆われている。
【００３３】
図４（ｂ）に表したように、洗い場１００の排水口１０３からみて浴槽パン２００の側には、側壁１０９が設けられている。側壁１０９のうちの少なくとも一部には、側壁１０９が切り取られた切り欠き部１０９ａが形成されている。切り欠き部１０９ａの底面１０９ｂには、排水流路１３０が形成されている。底面１０９ｂは、排水流路１３０の底面を兼ねる。排水流路１３０は、浴槽載置部２１０と、洗い場１００の排水口１０３と、を連通し、洗い場１００の排水口１０３に向けて勾配がついており、浴槽載置部２１０から洗い場１００の排水口１０３へ水を排出可能とする。
【００３４】
ここで、例えば、洗い場１００から排水口１０３に多量の水が排出されたり、あるいは、排水口１０３において詰まりなどの不具合が生じ、排水性能が低下すると、洗い場１００から排水口１０３に流れる水が溢れて排水流路１３０を介して浴槽パン２００に流入するおそれがある。水が浴槽パン２００に流入すると、水が浴槽パン２００に流入する前と比較して、浴槽３３０の下の空間の湿度が高くなり、汚れが付着する。すると、浴槽３３０の下が臭いの発生源となることがある。
【００３５】
これに対して、本実施形態にかかる浴室１０では、排水流路１３０に水流抑制部１３１設けられている。水流抑制部１３１は、第１の凸部１３２と、第２の凸部１３３と、第３の凸部１３４と、を有する。第１の凸部１３２と、第２の凸部１３３と、第３の凸部１３４と、は、切り欠き部１０９ａの底面１０９ｂから上へ突出している。これにより、水流抑制部１３１は、水が洗い場１００の排水口１０３から浴槽載置部２１０へ向かう水の流れを抑制する。なお、水流抑制部１３１の構造は、これだけに限定されない。
【００３６】
図４（ｂ）に表したように、切り欠き部１０９ａには、仕切り１１０が設けられている。第１の凸部１３２と、第２の凸部１３３と、第３の凸部１３４と、は、仕切り１１０に近接している。仕切り１１０は、貫通孔１１１を有し、排水流路１３０の上を覆う。仕切り１１０は、排水流路１３０の上に覆い被さり、排水流路１３０を隠蔽する。つまり、仕切り１１０は、排水流路１３０を外部から見えなくし、排水流路１３０を暗渠流路としている。仕切り１１０の貫通孔１１１は、切り欠き部１０９ａの底面１０９ｂから上へ離隔した位置に設けられ、排水管３５０を通している。言い換えれば、排水管３５０は、仕切り１１０の貫通孔１１１に挿入され、浴槽載置部２１０および底面１０９ｂから上へ離隔した位置に位置決めされている。
【００３７】
次に、本実施形態の排水流路および水流抑制部について、図面を参照しつつさらに説明する。  
図５は、本実施形態の洗い場の排水口の近傍を表す模式的斜視図である。  
図５（ａ）は、本実施形態のヘアキャッチャを表す模式的斜視図である。図５（ｂ）は、排水管の第２の端部を表す模式的斜視図である。図５（ｃ）は、本実施形態の仕切りを表す模式的斜視図である。図５（ｄ）は、本実施形態の排水流路および水流抑制部を表す模式的斜視図である。
【００３８】
図５（ａ）に表したように、洗い場１００の排水口１０３には、ヘアキャッチャ１０５が設けられている。図５（ｂ）および図５（ｃ）に表したように、ヘアキャッチャ１０５の下には、排水管３５０の第２の端部３５３が設けられている。排水管３５０は、切り欠き部１０９ａに設けられた仕切り１１０の貫通孔１１１に挿入されている。排水管３５０の第２の端部３５３の先端は、封水筒１２３に挿入されている。
【００３９】
図５（ｄ）に表したように、切り欠き部１０９ａの底面１０９ｂには、排水流路１３０が形成されている。ここで、浴槽パン２００の浴槽載置部２１０には、凹部２１１が設けられている。凹部２１１は、浴槽３３０の排水口３３１の下部から切り欠き部１０９ａの底面１０９ｂに形成された排水流路１３０に連通する。一方、排水流路１３０は、浴槽載置部２１０の凹部２１１と、洗い場１００の排水口１０３と、を連通する。これにより、例えば排水管３５０から水が漏れたり、浴槽３３０の周囲から水が入った場合でも、浴槽載置部２１０の上の水を洗い場１００の排水口１０３に排出することができる。
【００４０】
排水流路１３０には、水流抑制部１３１が設けられている。水流抑制部１３１は、第１の凸部１３２と、第２の凸部１３３と、第３の凸部１３４と、を有する。第１の凸部１３２は、排水流路１３０の一端部に設けられている。第２の凸部１３３は、排水流路１３０の他端部に設けられている。より具体的には、第２の凸部１３３は、第１の凸部１３２から離隔し、第１の凸部１３２と並んで設けられている。第３の凸部１３４は、第１の凸部１３２および第２の凸部１３３からみて浴槽パン２００の側において、第１の凸部１３２および第２の凸部１３３から離隔して設けられている。また、第３の凸部１３４は、排水流路１３０の略中央部、つまり、第１の凸部１３２と第２の凸部１３３との間に設けられている。これにより、水流抑制部１３１は、鉤形に屈曲した流路を有する排水流路１３０あるいはクランク状の排水流路１３０を形成する。
【００４１】
例えば、図５（ｄ）に表した矢印Ａ１およびＡ２のように、洗い場１００から排水口１０３に多量の水を排出し、洗い場１００から排水口１０３に流れる水が溢れて浴槽パン２００に向かうと、水の流れは、水流抑制部１３１より阻害される。これにより、水流抑制部１３１は、排水流路１３０を流れる水の速度を減速させ、水が洗い場１００の排水口１０３から浴槽載置部２１０へ進入することを抑制する。図５（ｄ）に表した水流抑制部１３１は、流速抑制部として機能する。水流抑制部１３１は、屈曲流路としての排水流路１３０を形成する。なお、水流抑制部１３１は、切り欠き部１０９ａではなく、仕切り１１０に設けられていてもよい。
【００４２】
本実施形態によれば、排水流路１３０が浴槽パン２００と洗い場１００の排水口１０３とをつないでいるため、浴槽載置部２１０の上の水を洗い場１００の排水口１０３に排出することができる。一方、排水流路１３０に設けられた水流抑制部１３１は、洗い場１００の排水口１０３から浴槽載置部２１０へ向かう水の流れ（逆流）を抑制することができる。これにより、水が浴槽パン２００に溜まることを抑制し、浴槽パン２００への汚れの付着を抑制して異臭の発生を抑制することができる。
【００４３】
また、仕切り１１０が排水流路１３０の上を覆うため、水が水流抑制部１３１を越えて洗い場１００の排水口１０３から浴槽載置部２１０に流れ込むことを抑制することができる。水流抑制部１３１は、排水流路１３０を流れる水の速度を抑えるため、浴槽パン２００から洗い場１００の排水口１０３へ流れる水の排出をより確実に行いつつ、水が洗い場１００の排水口１０３から浴槽パン２００へ流れることを抑えることができる。
【００４４】
水流抑制部１３１は、切り欠き部１０９ａの底面１０９ｂから上へ突出した簡単な構造により、水の流速を抑えることができる。また、屈曲流路としての排水流路１３０は、上を仕切り１１０により覆われ、暗渠流路とされている。そのため、水が排水流路１３０を近道として流れることを抑えることができる。
【００４５】
水流抑制部１３１は、切り欠き部１０９ａの底面１０９ｂから上へ突出し仕切り１１０に近接する凸部（第１の凸部１３２、第２の凸部１３３、第３の凸部１３４）により排水流路１３０を屈曲させる。そのため、排水流路１３０を通る水は、必ず屈曲流路を通る。そのため、水流抑制部１３１は、水の流速をより確実に減速させることができ、洗い場１００の排水口１０３から浴槽載置部２１０へ向かう水の流れ（逆流）を効果的に抑制することができる。
【００４６】
例えば、目皿１０７の詰まりなどによって洗い場１００の排水口１０３の排水性能が低下し、洗い場１００から排水口１０３に流れる水が溢れた場合には、水流抑制部１３１を介して、洗い場１００の排水口１０３から浴槽パン２００に向けて徐々に水が逆流する。この場合において、浴槽パン２００の浴槽載置部２１０に設けられた凹部２１１は、浴槽パン２００に逆流した水を凹部２１１自身にとどめることができ、浴槽パン２００内での水の拡散を抑制することができる。また、浴槽３３０の排水口３３１と、洗い場１００の排水口１０３と、をつなぐ排水管３５０を凹部２１１に収めることができる。そのため、浴槽３３０の排水口１０３や、排水管３５０などから水が漏れても、凹部２１１を通して洗い場１００の排水口１０３に速やかに水を排出することができる。
【００４７】
次に、浴槽パン２００の浴槽載置部２１０に設けられた凹部２１１について、図面を参照しつつ説明する。  
図６は、本実施形態の洗い場および浴槽パンを表す模式的斜視図である。  
図７は、本実施形態の洗い場および浴槽パンを表す模式的断面図である。  
図８は、本実施形態の洗い場および浴槽パンを表す模式的斜視図である。  
図９は、本実施形態の洗い場および浴槽パンを表す模式的断面図である。  
図１０は、本実施形態の洗い場および浴槽パンを表す模式的断面図である。
【００４８】
図７（ａ）は、図６に表した切断面Ｂ−Ｂにおける模式的断面図である。図７（ｂ）は、図６に表した切断面Ｃ−Ｃにおける模式的断面図である。図７（ｃ）は、図６に表した切断面Ｄ−Ｄにおける模式的断面図である。  
図９（ａ）は、図８に表した切断面Ｅ−Ｅにおける模式的断面図である。図９（ｂ）は、図９（ａ）に表した領域Ａ２１を拡大した模式的拡大図である。  
図１０（ａ）は、図８に表した切断面Ｆ−Ｆにおける模式的断面図である。図１０（ｂ）は、図８に表した切断面Ｇ−Ｇにおける模式的断面図である。図１０（ｃ）は、図８に表した切断面Ｈ−Ｈにおける模式的断面図である。
【００４９】
図５（ｄ）に関して前述したように、浴槽パン２００の浴槽載置部２１０には、凹部２１１が設けられている。図２および図６に表したように、凹部２１１は、浴槽３３０の排水口３３１の下部から切り欠き部１０９ａの底面１０９ｂに形成された排水流路１３０に連通する。図７（ａ）に表した矢印Ａ３および図１０（ａ）に表した矢印Ａ８のように、凹部２１１の表面２１１ａは、浴槽３３０の排水口３３１の下部から切り欠き部１０９ａの底面１０９ｂに形成された排水流路１３０に向けて下へ傾斜した勾配を有する。これにより、浴槽パン２００に逆流した水を洗い場１００の排水口１０３に速やかに排出することができる。
【００５０】
図７（ｂ）に表した矢印Ａ４、図９（ａ）に表した矢印Ａ５および矢印Ａ６、ならびに図９（ｂ）に表した矢印Ａ７のように、浴槽載置部２１０の表面２１３は、両端部（図６および図８に表した例では、蓋材３１０が設けられた側の両端部）から凹部２１１に向けて下へ傾斜した勾配を有する。これにより、浴槽載置部２１０の表面２１３の水を凹部２１１に導き、凹部２１１を介して洗い場１００の排水口１０３に速やかに排出することができる。また、図１０（ｂ）に表した矢印Ａ９および図１０（ｃ）に表した矢印Ａ１１のように、浴槽載置部２１０の表面２１３は、浴槽３３０の排水口３３１の側から切り欠き部１０９ａの底面１０９ｂに形成された排水流路１３０の側に向けて下へ傾斜した勾配を有する。これにより、浴槽載置部２１０の表面２１３の水を排水流路１３０の側に導くことができる。
【００５１】
図７（ｃ）に表したように、蓋材３１０の表面３１１は、洗い場１００の表面１０２と略同一面とされている。これにより、介助者４２０は、洗い場１００と介助用スペース３１０ａとの間をより楽に移動することができ、効率的に介助作業を行うことができる。
【００５２】
図１１は、蓋材および浴槽の設置形態を例示する模式的斜視図である。  
図１１（ａ）は、浴槽３３０が浴槽パン２００の略中央部に設置された例を表す模式的斜視図である。図１１（ｂ）および図１１（ｃ）は、浴槽３３０が浴槽パン２００の一端部に設置された例を表す模式的斜視図である。
【００５３】
図１（ａ）〜図２に関して前述したように、蓋材３１０が浴槽パン２００の一部を覆うことにより、浴槽パン２００の上に、浴槽載置部２１０と、介助用スペース３１０ａと、が形成される。このとき、蓋材３１０の配置に基づいて、浴槽載置部２１０および介助用スペース３１０ａの設置形態を変更することができる。
【００５４】
すなわち、図１１（ａ）に表したように、蓋材３１０を浴槽パン２００の両端部に設置すると、浴槽載置部２１０は、一方の蓋材３１０と他方の蓋材３１０との間に形成される。浴槽３３０は、一方の蓋材３１０と他方の蓋材３１０との間に形成された浴槽載置部２１０の上に載置される。図１１（ａ）に表した例は、図１（ａ）〜図１０（ｃ）に関して前述した浴室１０の例と同様である。
【００５５】
図１１（ｂ）および図１１（ｃ）に表したように、蓋材３１０を浴槽パン２００の一端部に設置すると、浴槽載置部２１０は、蓋材３１０と並んで浴槽パン２００の他端部に形成される。浴槽３３０は、蓋材３１０と並んで浴槽パン２００の他端部に形成された浴槽載置部２１０の上に載置される。例えば、図１１（ｂ）および図１１（ｃ）に表した例は、図１１（ａ）に表した例の浴室よりも狭い浴室などに利用される。
【００５６】
これによれば、浴槽載置部２１０の配置を自由に変更することができ、要介助者４１０の身体特性に応じた位置に浴槽３３０を配置することができる。
【００５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗い場１００および浴槽パン２００などが備える各要素の形状、寸法、材質、配置などや浴槽３３０および蓋材３１０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１０ 浴室、  １００ 洗い場、  １０１ 排水口カバー、  １０２ 表面、  １０３ 排水口、  １０５ ヘアキャッチャ、  １０７ 目皿、  １０９ 側壁、  １０９ａ 切り欠き部、  １０９ｂ 底面、  １１０ 仕切り、  １１１ 貫通孔、  １２１ 排水トラップ、  １２３ 封水筒、  １３０ 排水流路、  １３１ 水流抑制部、  １３２ 第１の凸部、  １３３ 第２の凸部、  １３４ 第３の凸部、  ２００ 浴槽パン、  ２１０ 浴槽載置部、  ２１１ 凹部、  ２１１ａ 表面、  ２１３ 表面、  ３１０ 蓋材、  ３１０ａ 介助用スペース、  ３１１ 表面、  ３２０ 堰部材、  ３３０ 浴槽、  ３３１ 排水口、  ３４１ 第１のエプロン、  ３４２ 第２のエプロン、  ３５０ 排水管、  ３５１ 第１の端部、  ３５３ 第２の端部、  ３８０ 壁パネル、  ３８１ 移乗台、  ３８３ トランスファーボード、  ３９１ 手すり、  ３９２ 照明、  ３９３ 給水装置、  ３９４ 鏡、  ３９５ カウンタ、  ４１０ 要介助者、  ４２０ 介助者、  ４５０ 配管
【図１】
2015169006.tif 000003
【図２】
2015169006.tif 000004
【図３】
2015169006.tif 000005
【図４】
2015169006.tif 000006
【図５】
2015169006.tif 000007
【図６】
2015169006.tif 000008
【図７】
2015169006.tif 000009
【図８】
2015169006.tif 000010
【図９】
2015169006.tif 000011
【図１０】
2015169006.tif 000012
【図１１】
2015169006.tif 000013